(57)【特許請求の範囲】
【請求項１】
開口面に突出した中央脚部と外周枠部との間に凹状の巻線収納部を形成した皿状コアと、予め巻線されて前記皿状コアの巻線収納部に同心状に装着された扁平の1次巻線及び２次巻線と、皿状コアの中央脚部の上面を覆う板状コアから形成する閉磁路防磁型薄型トランスにおいて、
前記皿状コアの前記外周枠部の対向する２辺に形成した段凹部に前記板状コアを嵌合し、前記板状コアは前記外周枠部と２つのベースにより挟持されると共に前記皿状コアの前記開口面を塞いで２つのベースと面一に取り付けられ、前記皿状コアの前記外周枠部に孔または段部を形成すると共に前記２つのベースに前記孔または段部に対応する段部または孔を形成することにより係合部を設け、該係合部によって前記２つのベースと前記皿状コアの前記外周枠部が位置決めされると共に、前記２つのベースは前記１次巻線及び２次巻線を接続する面実装の端子が設けられていることを特徴とする閉磁路防磁型薄型トランス。
【発明の詳細な説明】
【０００１】
【発明の属する利用分野】
本発明はスイッチング電源装置等に用いられるトランスに関するものである。
【０００２】
【従来の技術】
近年、電子機器の小型化、軽量化に伴ってこれらに使用されるトランスやコイルについても小型化、薄型化、低背化することが要求されている。
【０００３】
【解決しようとする課題】
従来のトランスは例えば図１のように、上下に鍔のあるドラムコアと、前記ドラムコアの巻軸部に同心状に巻回した１次巻線と２次巻線と、ドラムコアを取付固定するベースとドラムコアの外周に装着されたリングコアとで構成されており、ベースには１次巻線および２次巻線を接続する端子が設けられている。
−はドラムコアの上鍔とリングコアの上端部とで形成したギャップである。
上記構成のトランスにおいては、上方のギャップ部分から外部に磁束が漏れ易く、周囲の電子部品が磁気的障害を受ける可能性が大きい。
この漏れ磁束を低減させるためトランスの上面にシールド用のシートを被せることが行われているがシールド用シートを被せるとトランスの電気的特性が変化してしまうという問題が発生する。
【０００４】
上記に対して図１と同一部分に同一符号を付した図２のトランスは１次巻線と２次巻線を巻回したドラムコアに有底筒状のキャップコアを被せ、ギャップをドラムコアの下鍔とキャップコアの開口部の内周との間に形成したので外部への漏れ磁束は低減できるもののトランス全体の高さがキャップコアの上面の厚さｔだけ高くなってしまい低背化に逆行するという問題があった。
【０００５】
【課題を解決するための手段】
本発明は、上記従来のトランスが持っている問題点を解決するために為されたもので、その目的は、外部への漏れ磁束を低減するとともにトランス全体の高さ（厚さ）を薄くすることである。
【０００６】
【課題を解決するための手段】
請求項１に記載の薄型トランスは、開口面に突出した中央脚部と外周枠部との間に凹状の巻線収納部を形成した皿状コアと、予め巻線されて前記皿状コアの巻線収納部に同心状に装着された扁平の1次巻線及び２次巻線と、皿状コアの中央脚部の上面を覆う板状コアから形成する閉磁路防磁型薄型トランスにおいて、
前記皿状コアの前記外周枠部の対向する２辺に形成した段凹部に前記板状コアを嵌合し、前記板状コアは前記外周枠部と２つのベースにより挟持されると共に前記皿状コアの前記開口面を塞いで２つのベースと面一に取り付けられ、前記皿状コアの前記外周枠部に孔または段部を形成すると共に前記２つのベースに前記孔または段部に対応する段部または孔を形成することにより係合部を設け、該係合部によって前記２つのベースと前記皿状コアの前記外周枠部が位置決めされると共に、前記２つのベースは前記１次巻線及び２次巻線を接続する面実装の端子が設けられていることを特徴としており、このことから、皿状コアの開口面は板状コアとベースによって密閉されているので外部への漏れ磁束を低減させることができる。更に、板状コアは皿状コアの中央脚部の上面部分を覆うだけの大きさであればよいので全体の製造コストを安くすることができる。又、板状コアについて、皿状コアの外周枠部と嵌め合うように結合しているので、確実に板状コアを固定することができる。更に、板状コアは外周枠部と２つのベースから挟持するように形成され、しかも、板状コアと２つのベースは係合部によって、結合されている。端子はベースに面実装したため、小型化ができる。従って、このような構成によって、確実に形成され、しかもトランスの小型化の実現ができ、トランスの外部に漏れ磁束を低減すると共にトランス全体の高さ（厚さ）を薄くすることができるという顕著な効果を有する。
【００１０】
【実施の形態】
以下、本発明の実施の形態を図３乃至図５を用いて説明する。
本発明の防磁型薄型トランスは、皿状コア１、板状コア７、２つのベース８、１次巻線１２、２次巻線１３とを備えており、皿状コア１と板状コア７は絶縁性のあるフェライトコア、例えば、ニッケル系のフェライトコアで形成されており、また、皿状コア１は開口面に突出した中央脚部２と外周枠部３との間に凹状の巻線収納部４が形成され、巻線収納部４には自己融着絶縁電線によって予め扁平状に巻線された１次巻線１２と２次巻線１３が同心状に装着されるようにしてある。
５は皿状コア１の外周枠部３の対向する２辺に形成した段凹部、６は外周枠部に形成した段部または孔である。
板状コア７は皿状コア１の段凹部５に嵌合する幅を持ち、前記段凹部５に嵌着したときその内側面と中央脚部２との間にギャップｇが形成されるようにしてある。
ベース８は平板状であり、複数の端子９と１次巻線１２と２次巻線１３の端末を引き出すための溝１０および皿状コア１の外周枠部３に形成した段部または孔６に係合する突起等の係合部１１を設けてある。
【００１１】
上記構成の防磁型薄型トランスの組立工程を図５を参照して説明する。
先ず、１次巻線１２と２次巻線１３を皿状コア１の中央脚部２に挿通させ、巻線収納部４に同心状に装着する。
次に、板状コア７を皿状コア１の外周枠部３に形成した段凹部５間に跨って嵌合装着し、接着剤で固定する。
この時、板状コア７の裏側と中央脚部２の先端面との間にギャップｇが形成され、従って、皿状コア１と板状コア７は前記ギャップｇを通して閉磁路を形成する。
そして、２つのベース８の端子９の突出していない側の辺１５を板状コア７の辺１６に固着するとともに係合部１１を皿状コア１の段部または孔６に係合させ、ベース８を皿状コア１の外周枠部３に位置決め固定して板状コア７と２つのベース８とで皿状コア１の開口面を密閉する。
なお、板状コア７とベース８はほぼ面一になるようにしてある。
また、１次巻線１２と２次巻線１３の各端末はベース８の溝１０を通して巻線収納部４から皿状コア１の外部に引き出され端子９と接続されている。
【００１２】
【発明の効果】
本発明は以上のように、皿状コア１と板状コア７を絶縁性のあるフェライトコアで形成しており、また、１次巻線１２と２次巻線１３を自己融着絶縁電線を用いて扁平状に形成し、皿状コア１の中央脚部２に直接、同心状に装着し、また、板状コア７は皿状コア１の外周枠部３の対向辺に形成した段凹部５に嵌合させるようにしてあるので、従来のボビンやドラムコアを用いる必要が無く、部品点数を少なくすることができ、また、ボビンやドラムコアを用いていないのでそれらの鍔の厚さの分だけ高さ（厚さ）寸法を薄くすることができる。
また、皿状コア１の開口面は板状コア７とベース８によって密閉されているので外部への漏れ磁束を低減させることができる。
更に、板状コア７は皿状コア１の中央脚部２の上面部分を覆うだけの大きさであればよいので全体の製造コストを安くすることができる。
【図面の簡単な説明】
図１は従来のトランスの１例を示す断面説明図、
図２は従来のトランスの別の例を示す断面説明図、
図３は本発明の薄型トランスに関わる皿状コアの１例を示し、（ａ）は断面側面図、（ｂ）は正面図である。
図４は本発明の薄型トランスに関わる板状コアを示し、（ａ）は断面側面図、（ｂ）は正面図である。
図５は本発明の薄型トランスの組み立てた状態を示す図で、（ａ）は断面側面図、（ｂ）は底面図である。
【符号の説明】
１・・・皿状コア
２・・・中央脚部
３・・・外周枠部
４・・・巻線収納部
５・・・段凹部
６・・・段部または孔
７・・・板状コア
８・・・ベース
９・・・端子
１０・・・溝
１１・・・係止部
１２・・・１次巻線
１３・・・２次巻線
【図１】
0004868559.tif 000002
【図２】
0004868559.tif 000003
【図３】
0004868559.tif 000004
【図４】
0004868559.tif 000005
【図５】
0004868559.tif 000006